(57)【要約】      （修正有）【課題】体の表面に接して密着し易い突起を有することにより、被計測者の生体信号を検知し易く、使用上の利便性が向上される生体信号検知器を提供する。【解決手段】ベース層２０と、少なくとも一つの電極片１１と、少なくとも一つの突起部材３０とを含み、前記電極片１１が前記ベース層２０の上面に設けられ、前記電極片１１と前記ベース層２０との間に第１の受容室Ｓ１が形成され、前記突起部材が前記第１の受容室内に固設され、前記突起部材３０は、前記電極片１１に当接して隆起させる少なくとも一つの隆起面３１を有する。【選択図】図２
0003177095.tif 000002
【実用新案登録請求の範囲】
【請求項１】
ベース層と、
前記ベース層の上面に設けられ、前記ベース層との間に第１の受容室が形成された少なくとも一つの電極片と、
前記第１の受容室内に固設され、前記電極片に当接して隆起させる少なくとも一つの隆起面を有する少なくとも一つの突起部材とを含む、生体信号検知器。
【請求項２】
前記電極片は複数の網目を有することを特徴とする請求項１に記載の生体信号検知器。
【請求項３】
前記突起部材は、発砲プラスチック、シリコンゴム及び綿生地のうち一つであることを特徴とする請求項１に記載の生体信号検知器。
【請求項４】
前記突起部材は弾性体であることを特徴とする請求項１に記載の生体信号検知器。
【請求項５】
前記ベース層は、布地層、プラスチックシート層又はポリエステル繊維層のうち一つであることを特徴とする請求項１に記載の生体信号検知器。
【請求項６】
前記少なくとも一つの電極片は、複数の電極片を有し、前記各電極片が前記ベース層の上面に間隔をおいて設けられ、前記各電極片と前記ベース層との間に第１の受容室が形成され、前記少なくとも一つの突起部材は、複数の突起部材を有し、前記各突起部材が前記各第１の受容室内に固設され、前記各突起部材は、少なくとも一つの隆起面を有し、前記各突起部材の隆起面が前記各電極片に当接して隆起させるよう機能し、また、隣接する何れか２つの電極片間に接続片が接続され、前記接続片と前記ベース層との間に第２の受容室が形成され、前記電極片と前記接続片とが互いに接続して前記ベース層の形状に対応する上層を形成することを特徴とする請求項１に記載の生体信号検知器。
【請求項７】
さらに帯ひもを含み、前記帯ひもの下縁が前記ベース層の底面の周縁に接続され、前記帯ひもの上縁が前記上層の上面の周縁に接続され、前記上層の上面の周縁が前記ベース層の底面の周縁に対応されることを特徴とする請求項６に記載の生体信号検知器。
【請求項８】
前記各電極片には少なくとも一本の延長導線がさらに結合され、前記各延長導線の一端が前記各電極片内に延在して電気的に接続され、前記各延長導線の他端が前記各電極片の一側縁から延出されることを特徴とする請求項６に記載の生体信号検知器。
【請求項９】
さらに帯ひもを含み、前記帯ひもの下縁が前記ベース層の底面の周縁に接続され、前記帯ひもの上縁が前記電極片の上面の周縁に接続され、前記電極片の上面の周縁が前記ベース層の底面の周縁に対応されることを特徴とする請求項１に記載の生体信号検知器。
【考案の詳細な説明】
【技術分野】
【０００１】
本考案は、生体信号検知器に係り、特に、人の体の表面に接して密着し易いよう目立つ突起を有することで、体の生体信号を容易に検知できる生体信号検知器に関るものである。
【背景技術】
【０００２】
現在、人の心拍、脳波などの生体信号を計測する際に、体の表面の異なる部位に生理計測機器の複数のセンサ素子がそれぞれ貼付（又は装着）され、これらのセンサ素子により神経衝動（すなわち、膜電位の変化）が体の器官（例えば、心臓や頭部）を通ったときに周囲組織又は体表に拡散された電流を検知し、検知されたセンサ信号がさらにこれらのセンサ素子から生理計測機器に電線を介して伝送され、処理を経てからデータに変換して表示されることによって、被計測部位の状況（例えば、心拍頻度や脳波変化）がわかるようになる。
【考案の概要】
【考案が解決しようとする課題】
【０００３】
上記のセンサ素子は、電極片を用いることが多く、従来の電極片は、主に、粘着性のあるベース層（例えば、導電コロイド層）と、ベース層に結合された導電部とで構成され、生体信号を検知するときに、ベース層の粘着性によりその一面を体の表面に完全に貼り付けることで、体表の電流がベース層、導電部及び電線を経て生理計測機器に流れるようになる。一方で、生理計測機器から体表に電流を伝送することにより、体表に深く進入して治療すべき部位を刺激する場合、所謂、電極治療となる。
【０００４】
しかしながら、体の表面は起伏の多い弧曲面であり、さらにより突出される部位（例えば、肩や膝）をも含むため、従来の電極片のベース層と体の表面との間に隙間が発生し易く、且つ、体が動作するときに、上記従来の電極片のベース層が例えば肩胛骨の周縁や肘関節などの部位に押されて離れてしまうこともあるので、ベース層の一部が弛められ体の表面に粘着し難くなり、猶更全体が離脱してしまう可能性もあり、このような場合に、いずれもセンサ信号が生じ難く、さらに検知中止という事態も招き易く、複数の従来電極片を用いるときに、体の検知すべき部位の表面に個別に貼り付けて固定される必要があるため、使用上不便である。
【０００５】
また、上記従来の電極片のベース層は、乾燥によって亀裂を起こし易く、しかも人の体表の汗垢が付着し易いため、生体信号の伝送に影響を与え、さらに、汗垢が残ることでかびが生じ黒くなり、或いは、他の汚れ（例えば、塵埃）が付着し易いので、ノイズ干渉となってしまい、さらに、前記汗垢や汚れがベース層の表面に付着すると、粘着性が失われ易くなるため、従来の電極片が前記事情によりロスし易く、使用上不便である。
【０００６】
上記を鑑みて、本考案の創作者は、専念に研究や設計、組み立てをし、体の表面に接して密着し易い効果を持つよう目立つ突起を有することにより、被計測者の生体信号を検知し易く、使用上の利便性が向上する生体信号検知器を提供する。
【０００７】
本考案は、体の表面に接して密着し易い効果を持つよう目立つ突起を有することにより、被計測者の生体信号を検知し易く、使用上の利便性が向上する生体信号検知器を提供することを主な目的とする。
【０００８】
本考案は、位置決めの効果を有し、快適感及び美観の効果が向上し、さらに電流伝導への影響を低下させるとともに、ノイズ干渉が低下する帯ひも付き生体信号検知器を提供することを次の目的とする。
【課題を解決するための手段】
【０００９】
前記目的を達成するため、本考案に係る生体信号検知器は、ベース層と、前記ベース層の上面に設けられ、前記ベース層との間に第１の受容室が形成された少なくとも一つの電極片と、前記第１の受容室内に固設され、前記電極片に当接して隆起させる少なくとも一つの隆起面を有する少なくとも一つの突起部材とを含むことによって、体の表面に接して密着し易い効果を持つよう目立つ突起を有することにより、被計測者の生体信号を検知し易く、使用上の利便性が向上し、さらに、帯ひもが付加されることで、位置決めの効果を有し、快適感及び美観の効果が向上して、さらに電流伝導への影響が低下するとともに、ノイズ干渉が低下する。
【図面の簡単な説明】
【００１０】
【図１】本考案に係る生体信号検知器を示す斜視図である。
【図２】図１のＡ―Ａ線に沿う断面図である。
【図３】図１のＢ―Ｂ線断面を示す拡大図である。
【図４】図１の分解図である。
【図５】図２の生体信号検知器のうち帯ひも、ステッチ及び延長導線を除く、生体信号検知器を示す図である。
【図６】図２の生体信号検知器のうち接続片及び延長導線を除く、生体信号検知器を示す図である。
【図７】本考案に係る生体信号検知器の簡単な実施例を示す図である。
【図８】帯ひもをさらに含む、図７の生体信号検知器を示す分解斜視図である。
【図９】図８の生体信号検知器の組立後の様子を示す斜視図である。
【図１０】本考案に係る生体信号検知器が衣服の後ろ身内に結合される様子を示す後ろ透視図である。
【図１１】図１１は、本考案に係る生体信号検知器が他の前開き式の上着内に結合される様子を示す正面図である。
【考案を実施するための形態】
【００１１】
本考案の特徴、特点及び技術内容をさらに深く了解を得るため、以下の本考案に係る詳細説明及び添付図面を参照する。尚、前記添付図面は参考や説明のためにのみ提供されるものであって本考案を局限するものではない。
【実施例】
【００１２】
図１〜図９に示すように、本考案の生体信号検知器１は、少なくとも一つの電極片１１と、ベース層２０と、少なくとも一つの突起部材３０とを含んだ組立構造であり、電極片１１が体の検知すべき部位の表面に接触され、突起部材３０が電極片１１に対応して配置され、また、ベース層２０が装着物（図１０の衣服５０を参照）に直接的に接続することができる。
【００１３】
本考案の生体信号検知器１は、実際に使用されるとき、その簡単な組合構造が、図７に示すように、単一の電極片１１を用いて構成され、電極片１１がベース層２０の上面に設けられ、電極片１１とベース層２０との間に第１の受容室Ｓ１が形成され、突起部材３０が第１の受容室Ｓ１内に固設され、突起部材３０が少なくとも一つの隆起面３１を有し、突起部材３０の隆起面３１が電極片１１に当接して隆起させるよう機能している。
【００１４】
該組合部材により、体の表面に本考案が貼付されるときに、体の弧曲面に沿って貼り付けられ、突起部材３０が電極片１１と位置合わせて支持し、且つ電極片１１の片面を隆起させ、外見から見ると、電極片１１の片面の一部が体の表面に密着（又は緊密に当接）するよう突起状になり、隙間の発生が避けられ、体の表面の電流が電極片１１に伝達し易く、生体信号の変化を検知し易くなる。
【００１５】
本考案の生体信号検知器１は、電極片１１の使用数量に応じて異なる実施形態となり、単一の電極片１１を用いる場合に、本考案の生体信号検知器１が結合された装着物（図示せず、例えば、腕帯又はリストバンド）は、人の体の手首（図示せず）に設けられ、さらに電子装置（図示せず、例えば、マルチメディアプレーヤ）が配置され、電子装置の他端に付属部材（図示せず、例えば、イヤホン）が電気的に接続され、付属部材が体の他の部位（例えば、耳部）に設けられ、アース（Ground）（又は導電負極）として使用されることで、検知回路が形成され、複数の電極片１１を用いる場合に、本考案の生体信号検知器１は、上記の手首に設けられるとは限らず、図１１に示すように、衣服５０に結合され、衣服５０内の２つの電極片１１を介して検知回路が形成されても良い。
【００１６】
突起部材３０は、その隆起面３１と対向する対向面３２に突起状（図示せず）又は平坦状（図３に示すように）の何れとなっても良く、対向面３２が平坦状であれば、突起部材３０全体の形状は、対向面３２から隆起面３１まで徐々に絞るようになり、突起部材３０の対向面３２とベース層２０との接触面積が増加される他、突起部材３０の隆起面３１と電極片１１との接触面積が増加し密接されるようになり、このように、第１の受容室Ｓ１内に突起部材３０が安定に位置決めされ、滑りや揺動が避けられ、しかも、隆起面３１が電極片１１と位置合わせて当該電極片１１に当接して隆起させ、隆起面３１と電極片１１との間の隙間が減少される。
【００１７】
電極片１１は、複数の綱目１１１（図１、図４に示すように）を有することで、塵埃などの不純物が電極片１１内に入られないよう遮断され、電極片１１内の導電部位への干渉が低下し、ノイズの発生が減少する。
【００１８】
突起部材３０は、発砲プラスチック、シリコンゴム、綿生地、又は弾性体のうちから選出されることによって、製造が便利になり、突起部材３０が弾性体であれば、弾性があって伸縮可能になるので、弯曲や曲折をし易く、その後も元に戻り易く、このように体の表面に貼付されるときに、体の表面の曲線に沿って貼り付けられ、使用上便利及び交換し易くなる。
【００１９】
ベース層２０は、布地層、プラスチックシート層又はポリエステル繊維（polyester fiber）層である。
【００２０】
また、本明細書では、上記少なくとも一つの電極片１１とは、複数の電極片１１を有し、前記少なくとも一つの突起部材３０とは、複数の突起部材３０を有し、前記複数の用語とは２以上の数を意味するので、本考案は、図５に示すように（図１、図２、図４と合わせて示されても良い）、両電極片１１と両突起部材３０とで構成され、両電極片１１がベース層２０の上面に間隔をおいて設けられ、各電極片１１とベース層２０との間に第１の受容室Ｓ１がそれぞれ形成され、各突起部材３０が各第１の受容室Ｓ１内にそれぞれ固設され、各突起部材３０は、少なくとも一つの隆起面３１を有し、各突起部材３０の隆起面３１が各電極片１１に当接して隆起させるよう機能し、また、隣接する何れか２つの電極片１１間に少なくとも一つの接続片１２が接続され、接続片１２の両端が隣接する２つの電極片１１の間に接続され、接続片１２とベース層２０との間に第２の受容室Ｓ２が形成され、これらの電極片１１と接続片１２とが互いに接続してベース層２０の形状に対応する上層１０を形成することによって、これらの電極片１１が接続片１２を介して身体の同一部位の対応側に（例えば、頭の左右両対向側、背中の左右両対向側、又は、心臓部の胸、背の両対向側）に速やかに貼り付けることができる。
【００２１】
第２の受容室Ｓ２は、他の部品（例えば、電線や、センサ、コントローラ）を収容するためのものであるが、第２の受容室Ｓ２内に物が置かれていない場合、接続片１２がベース層２０の上面に貼り付けられる。
【００２２】
実際に使用するときに、各電極片１１がそれぞれベース層２０及び接続片１２との接続、さらに接続片１２とベース層２０との間の接続は、いずれも、ミシン縫い（ミシンで縫い、固定し）、接着剤（接着剤を塗布、粘着固定し）、又は熱溶接（まずカットして、次に切断部分を加熱して溶接固定し）などの方式を用いて、接続固定する効果を達することができる。
【００２３】
また、図１〜図４に示すように、本考案の生体信号検知器１の最適な実施形態として、さらに、帯ひも４０を含み、その構造について、図２、図３をさらに参照し、帯ひも４０の下縁４１がベース層２０の底面の周縁に接続され、帯ひも４０の上縁４２が上層１０（すなわち、互いに接続されたこれらの電極片１１と前記接続片１２とで構成され）の上面の周縁に接続され、上層１０の上面の周縁がベース層２０の底面の周縁に対応され、帯ひも４０でカバーして固定し易くなることにより、快適感及び美観の効果が向上する。本実施例では、接続片１２は、実際の要求に応じて選択的に設けられるので、本考案も、図６に示すように、ベース層２０の上面のみに２つの電極片１１が間隔をおいて設けられるため、２つの電極片１１の上面の周縁のみにその帯ひも４０の上縁４２が接続されることによって、本考案は、衣服５０にミシン縫いで結合されたときに（図１０、図１１に示すように）、帯ひも４０により縫い付ける領域を確認し、ステッチ６０を帯ひも４０に沿って縫い付けることで、突起部材３０まで誤って縫い付けて構造を破壊してしまうことが避けられる。さらに、本考案は、衣服５０に合わせることによって、被計測者が装着した後に、２つの電極片１１が計測されるべき部位に速やかに対応して密着され易くなるので、個別に貼付されることが避けられる。
【００２４】
また、図８、図９に示すように、帯ひも４０の実施形態として、前述された生体信号検知器１の簡単な構造と組立して使用されても良い（該簡単な構造には図７を参照し、且つ、組立した様子について図９を参照すれば良い）、帯ひも４０の下縁４１がベース層２０の底面の周縁に接続され、帯ひも４０の上縁４２が電極片１１の上面の周縁に接続され、電極片１１の上面の周縁がベース層２０の底面の周縁に対応されることにより、帯ひも４０でカバーして固定し易くなり、同様に快適感及び美観の効果が向上し、組み合わせる衣服５０に接続し易くなる。
【００２５】
また、電極片１１のサイズが大きい場合に、コストを削減するとともに、電極片１１を体表の電流と電気的に接続するため、さらに図１、図２、図４に示すように、各電極片１１には少なくとも一本の延長導線１３（図２において左下方の一部拡大図に示され）がさらに結合され、各延長導線１３の一端が各電極片１１内に延在して電気的に接続され、各延長導線１３の他端が各電極片１１の一側縁から延出されることによって、各電極片１１が各突起部材３０に当接されて隆起となった場合に、各電極片１１の延長導線１３が体表の電流と電気的に接続し易くなり、実際に使用されるときに、本考案は、単一の電極片１１を用いて、この場合も、延長導線１３が付加されても良い、また、本考案は、２以上の電極片１１を用いる場合に、各電極片１１のサイズに応じて前記延長導線１３が選択的に結合される。
【００２６】
電極片１１の延長導線１３は、紡織用の複数の導電糸からなり、やや柔らかいので、延長導線１３には電線（図示せず）が電気的に接続され、電線の他端が生理計測機器（図示せず）にさらに電気的に接続されることにより、体表の電流が電極片１１、延長導線１３及び電線を経てから生理計測機器に伝送されることができ、実際に使用する場合に、延長導線１３が必ずしも設置しなければならない部材ではないので、電極片１１が電線（図示せず）に直接的に電気的に接続されても良い。
【００２７】
よって、本考案の生体信号検知器１は、少なくとも一つの電極片１１と、ベース層２０と、少なくとも一つの突起部材３０との組合設計により、体の表面に接して密着し易い効果を持つよう目立つ突起を有することにより、被計測者の生体信号を検知し易く、使用上の利便性が向上し、さらに、帯ひも４０が付加されることで、位置決めの効果を有し、快適感及び美観の効果が向上し、さらに電流伝導への影響を降下するとともに、ノイズ干渉が低下する。
【００２８】
以上は単に本考案の好ましい具体的な実施例に過ぎず、本考案の実用新案登録請求の範囲を局限するものではない。
いずれの当該分野における通常の知識を有する専門家は、本考案の分野の中で、適当に変更や修飾などを実施できるが、それらの実施が本考案の主張範囲内に含まれるべきことは言うまでもないことである。
【符号の説明】
【００２９】
１：生体信号検知器
１０：上層
１１：電極片
１２：接続片
１３：延長導線
２０：ベース層
３０：突起部材
３１：隆起面
３２：対向面
４０：帯ひも
４１：下縁
４２：上縁
５０：衣服
６０：ステッチ
１１１：綱目
Ｓ１：第１の受容室
Ｓ２：第２の受容室
【図１】
0003177095.tif 000003
【図２】
0003177095.tif 000004
【図３】
0003177095.tif 000005
【図４】
0003177095.tif 000006
【図５】
0003177095.tif 000007
【図６】
0003177095.tif 000008
【図７】
0003177095.tif 000009
【図８】
0003177095.tif 000010
【図９】
0003177095.tif 000011
【図１０】
0003177095.tif 000012
【図１１】
0003177095.tif 000013